【手続補正書】
【提出日】平成26年3月6日(2014.3.6)
【手続補正１】
【補正対象書類名】特許請求の範囲
【補正対象項目名】全文
【補正方法】変更
【補正の内容】
【特許請求の範囲】
【請求項１】
第１のユーザ機器デバイスのユーザによって書かれた電子メッセージを第２のユーザ機器デバイスに表示させるための方法であって、該方法は、
該第２のユーザ機器デバイスを用いて該電子メッセージを受信することであって、該電子メッセージは、該電子メッセージの表示に関連付けられたトリガイベントを識別する情報を含み、該識別されたトリガイベントは、ユーザ行動と無関係である、ことと、
該識別されたトリガイベントの発生を検出することと、
該識別されたトリガイベントの発生を検出することに応じて、該電子メッセージを該第２のユーザ機器デバイスのディスプレイの少なくとも一部分に表示させることと
を含み、
該トリガイベントは、該ディスプレイに表示されている指定のコンテンツとユーザプロファイルとのうちの少なくとも１つに関連付けられる、方法。
【請求項２】
前記電子メッセージは、ショートメッセージサービス（ＳＭＳ）メッセージであり、
前記ディスプレイの前記少なくとも一部分は、ポップアップウィンドウを備え、
前記受信された電子メッセージを表示させることは、該ポップアップウィンドウに該電子メッセージを表示させることを含む、請求項１に記載の方法。
【請求項３】
前記電子メッセージは、ショートメッセージサービス（ＳＭＳ）メッセージであり、
双方向メディアガイダンスアプリケーションが、前記第２のユーザ機器デバイス上に実装され、
前記ディスプレイの前記少なくとも一部分は、双方向メディアガイダンスアプリケーションディスプレイの少なくとも一部分であり、
前記受信された電子メッセージを表示させることは、該双方向メディアガイダンスアプリケーションディスプレイの前記少なくとも一部分に該受信された電子メッセージを表示させることを含む、請求項１に記載の方法。
【請求項４】
前記電子メッセージは、ショートメッセージサービス（ＳＭＳ）メッセージであり、
該電子メッセージは、該電子メッセージのコンテンツ、該電子メッセージの経路指定情報、または該電子メッセージのメタデータのうちのいずれかにおける制御情報を含む、請求項１に記載の方法。
【請求項５】
前記電子メッセージは、ショートメッセージサービス（ＳＭＳ）メッセージであり、
前記ディスプレイの前記少なくとも一部分は、オーバーレイウィンドウを備え、
前記受信された電子メッセージを表示させることは、該オーバーレイウィンドウに該受信された電子メッセージを表示させることを含む、請求項１に記載の方法。
【請求項６】
前記第１のユーザ機器デバイスは、モバイルデバイスであり、
前記第２のユーザ機器デバイスは、セットトップボックスである、請求項１に記載の方法。
【請求項７】
前記電子メッセージは、ショートメッセージサービス（ＳＭＳ）メッセージであり、
該電子メッセージは、該電子メッセージの１つ以上の意図された受信先を識別する情報を備え、
前記電子メッセージを受信することは、該電子メッセージの意図された受信先のうちの少なくとも１つが前記第２のユーザ機器デバイスであることを決定することを含む、請求項１に記載の方法。
【請求項８】
前記電子メッセージは、ショートメッセージサービス（ＳＭＳ）メッセージであり、
前記電子メッセージを受信することは、
複数の電子メッセージを受信することと、
該受信された複数の電子メッセージを連結させて該電子メッセージを作成することと
を含む、請求項１に記載の方法。
【請求項９】
前記電子メッセージは、ショートメッセージサービス（ＳＭＳ）メッセージであり、
前記方法は、
前記表示された電子メッセージへのユーザ応答を受信することと、
前記第２のユーザ機器デバイスからの該ユーザ応答を該表示された電子メッセージの送信元に送信することと
をさらに含む、請求項１に記載の方法。
【請求項１０】
前記ユーザプロファイルは、前記第１のユーザ機器デバイスのユーザまたは前記第２のユーザ機器デバイスのユーザに対応する、請求項１に記載の方法。
【請求項１１】
第１のユーザ機器デバイスのユーザによって書かれた電子メッセージを第２のユーザ機器デバイスに表示させるシステムであって、該システムは、
該電子メッセージを受信する手段であって、該電子メッセージは、該電子メッセージの表示に関連付けられたトリガイベントを識別する情報を含み、該識別されたトリガイベントは、ユーザ行動と無関係である、手段と、
該識別されたトリガイベントの発生を検出する手段と、
該識別されたトリガイベントの発生を検出することに応じて、該電子メッセージを該第２のユーザ機器デバイスのディスプレイの少なくとも一部分に表示させる手段と
を備え、
該トリガイベントは、該ディスプレイに表示されている指定のコンテンツとユーザプロファイルとのうちの少なくとも１つに関連付けられる、システム。
【請求項１２】
前記電子メッセージは、ショートメッセージサービス（ＳＭＳ）メッセージであり、
前記ディスプレイの前記少なくとも一部分は、ポップアップウィンドウを備え、
前記システムは、該ポップアップウィンドウに該電子メッセージを表示させる手段をさらに備える、請求項１１に記載のシステム。
【請求項１３】
前記電子メッセージは、ショートメッセージサービス（ＳＭＳ）メッセージであり、
双方向メディアガイダンスアプリケーションが、前記第２のユーザ機器デバイス上に実装され、
前記ディスプレイの前記少なくとも一部分は、双方向メディアガイダンスアプリケーションディスプレイの少なくとも一部分であり、
前記システムは、該双方向メディアガイダンスアプリケーションディスプレイの前記少なくとも一部分に前記受信された電子メッセージを表示させる手段をさらに備える、請求項１１に記載のシステム。
【請求項１４】
前記電子メッセージは、ショートメッセージサービス（ＳＭＳ）メッセージであり、
該電子メッセージは、該電子メッセージのコンテンツ、該電子メッセージの経路指定情報、または該電子メッセージのメタデータのうちのいずれかにおける制御情報を含む、請求項１１に記載のシステム。
【請求項１５】
前記電子メッセージは、ショートメッセージサービス（ＳＭＳ）メッセージであり、
前記ディスプレイの前記少なくとも一部分は、オーバーレイウィンドウを備え、
前記システムは、該オーバーレイウィンドウに前記受信された電子メッセージを表示させる手段をさらに備える、請求項１１に記載のシステム。
【請求項１６】
前記第１のユーザ機器デバイスは、モバイルデバイスであり、
前記第２のユーザ機器デバイスは、セットトップボックスである、請求項１１に記載のシステム。
【請求項１７】
前記電子メッセージは、ショートメッセージサービス（ＳＭＳ）メッセージであり、
該電子メッセージは、該電子メッセージの１つ以上の意図された受信先を識別する情報を備え、
前記システムは、該電子メッセージの意図された受信先のうちの少なくとも１つが前記第２のユーザ機器デバイスであることを決定する手段をさらに備える、請求項１１に記載のシステム。
【請求項１８】
前記電子メッセージは、ショートメッセージサービス（ＳＭＳ）メッセージであり、
前記システムは、
複数の電子メッセージを受信する手段と、
該受信された複数の電子メッセージを連結させて該電子メッセージを作成する手段と
をさらに備える、請求項１１に記載のシステム。
【請求項１９】
前記電子メッセージは、ショートメッセージサービス（ＳＭＳ）メッセージであり、
前記システムは、
前記表示された電子メッセージへのユーザ応答を受信する手段と、
前記第２のユーザ機器デバイスからの該ユーザ応答を該表示された電子メッセージの送信元に送信する手段と
をさらに備える、請求項１１に記載のシステム。
【請求項２０】
前記ユーザプロファイルは、前記第１のユーザ機器デバイスのユーザまたは前記第２のユーザ機器デバイスのユーザに対応する、請求項１１に記載のシステム。